(57)【要約】    【課題】  広い画角で諸収差を効果的に補正して、レンズ枚数が少なく小型で、且つ高性能を得る。    【解決手段】  画像読取レンズは、物体側に前群レンズ系ＧＦ１、像側に後群レンズ系ＧＲ１をそれぞれ配置する。前群レンズ系ＧＦ１を、それぞれ１枚以上の正レンズおよび負レンズからなる５枚以下のレンズで構成し、後群レンズ系ＧＲ１を、１枚の負レンズで構成して、当該画像読取レンズ全系の画角を５６°以上とする。前群レンズ系ＧＦ１および後群レンズ系ＧＲ１は、前群レンズ系ＧＦ１と後群レンズ系ＧＲ１との間隔の変化に対して、当該画像読取レンズ全系の焦点距離の変化が小さく且つ像面の変化が大きな構成とし、前群レンズ系ＧＦ１と後群レンズ系ＧＲ１との間隔を調整して所要のレンズ性能を得る。【選択図】    図１
2014228756.tif 000002
【特許請求の範囲】
【請求項１】
原稿画像を読み取るための画像読取レンズであって、
物体側に前群レンズ系、像側に後群レンズ系をそれぞれ配置して、
前記前群レンズ系を、それぞれ１枚以上の正レンズおよび負レンズからなる５枚以下のレンズで構成し、
前記後群レンズ系を、１枚の負レンズで構成して、
当該画像読取レンズ全系の画角を５６°以上とし、且つ
前記前群レンズ系および前記後群レンズ系は、前記前群レンズ系と前記後群レンズ系との間隔の変化に対して、当該画像読取レンズ全系の焦点距離の変化が小さく且つ像面の変化が大きな構成として、
前記前群レンズ系と前記後群レンズ系との間隔を調整して所要のレンズ性能を得る構成とし、
前記後群レンズ系の焦点距離をｆｒ、当該画像読取レンズ全系の焦点距離をｆとし、
前記前群レンズ系の最も像側のレンズの像側レンズ面の曲率半径をＲａとし、前記後群レンズ系の負レンズの物体側レンズ面の曲率半径をＲｂとし、前記後群レンズ系の負レンズの像側レンズ面の曲率半径をＲｃ、として、
下記条件式〔１〕、〔２〕、〔３〕：
〔１〕  −１．００  ＜  ｆｒ／ｆ  ＜  −０．５０
〔２〕  １．０  ＜  （Ｒｃ＋Ｒｂ）／（Ｒｃ−Ｒｂ）  ＜  １．５
〔３〕  １．０  ＜  Ｒａ／Ｒｂ  ＜  ２．８
を共に満足することを特徴とする画像読取レンズ。
【請求項２】
前記前群レンズ系と前記後群レンズ系との間の光軸上の距離をｄｓとし、レンズ全長をＤとして、
下記条件式〔４〕：
〔４〕  ０．２  ＜  ｄｓ／Ｄ  ＜  ０．６
を満足することを特徴とする請求項１に記載の画像読取レンズ。
【請求項３】
前記前群レンズ系の最も像側のレンズの像側レンズ面の有効径をφａとし、前記後群レンズ系を構成する負レンズの物体側レンズ面の有効径をφｂとし、前記前群レンズ系と前記後群レンズ系との間の光軸上の距離をｄｓとして、
下記条件式〔５〕：
〔５〕  ０．１２  ＜  （φｂ−φａ）／２ｄｓ  ＜０．２８
を満足することを特徴とする請求項１または請求項２に記載の画像読取レンズ。
【請求項４】
前記後群レンズ系を構成する負レンズの少なくとも一方の面に、非球面を形成してなることを特徴とする請求項１〜請求項３のいずれか１項に記載の画像読取レンズ。
【請求項５】
前記前群レンズ系を構成する複数のレンズの少なくとも１面に、非球面を形成してなることを特徴とする請求項１〜請求項４のいずれか１項に記載の画像読取レンズ。
【請求項６】
前記後群レンズ系を構成する負レンズの外形形状が、光軸に対して回転対称でないことを特徴とする請求項１〜請求項５のいずれか１項に記載の画像読取レンズ。
【請求項７】
前記後群レンズ系を構成する負レンズの外形形状が、副走査方向よりも主走査方向に長い形状であることを特徴とする請求項６に記載の画像読取レンズ。
【請求項８】
原稿を照明する照明系と、
前記照明系により照明された原稿の反射光を縮小結像させる結像レンズと、
前記結像レンズにより結像された原稿像を光電変換する撮像素子と、
を有する画像読取装置であって、
前記結像レンズは、請求項１〜請求項７のいずれか１項の画像読取レンズを用いて構成したことを特徴とする画像読取装置。
【請求項９】
請求項８の画像読取装置を備えて構成したことを特徴とする画像形成装置。
【発明の詳細な説明】
【技術分野】
【０００１】
本発明は、イメージスキャナ等の画像読取装置、ファクシミリおよびディジタル複写機等の画像形成装置における原稿画像の取り込みに好適な、画像読取り用の画像読取レンズに係り、特にレンズ枚数が少なく、小型で高性能な画像読取レンズ、そのような画像読取レンズを用いた画像読取装置、並びにそのような画像読取装置を用いた画像形成装置に関するものである。
【背景技術】
【０００２】
イメージスキャナ、ファクシミリ、あるいはディジタル複写機等における原稿画像の読み取りに用いられる画像読取装置は、読み取るべき原稿の画像を、読取り用の画像読取レンズによって縮小して結像させ、この縮小光学像をＣＣＤ（電荷結合素子）イメージセンサのような固体撮像素子によって撮像し画像情報を電子的画像データ化する。また、原稿情報をカラーで読み取るために、それぞれ例えば赤、緑および青のフィルタを持った受光素子が３列に配列された、いわゆる３ラインＣＣＤイメージセンサ等を用いて固体撮像素子を構成し、その受光面に原稿の縮小光学像を結像させることにより３原色に色分解して、カラー画像情報を信号化することが行われている。
上述した画像読取レンズにおいては、一般に、像面において高空間周波数領域での高いコントラストおよび画角周辺部まで１００％近くの開口効率がが要求される。さらに、カラー原稿を良好に読み取るためには、受光面上で赤、緑および青の各色の結像位置を光軸方向に合致させる必要があり、各色の色収差を極めて良好に補正しなければならない。
【０００３】
従来、このような画像読取レンズとして広く用いられていた、いわゆるガウス型の画像読取レンズは、比較的大口径で高解像度を実現することができる。しかしながら、このようなガウス型の構成で近年求められている高性能を実現しようとすると、４群６枚構成や５群８枚構成等、６枚以上の多くのレンズ枚数が必要となる。
これに対して特許文献１（特許第３９３９９０８号公報）には、ガウス型の画像読取レンズと比較してレンズ構成枚数が少なく、ガウス型と同等以上の性能を有する３枚〜５枚構成の画像読取レンズが開示されている。
すなわち、特許文献１に記載された画像読取レンズにおいては、レンズ構成枚数を最小で３枚とし、最も像側に配置されるレンズのパワーを負とし且つ当該レンズを像面近傍に配置する構成により、諸収差の補正を容易にして、高性能を実現することができる光学系を達成している。
【発明の概要】
【発明が解決しようとする課題】
【０００４】
上述したように、特許文献１には、レンズ構成枚数が３枚〜５枚と少なくて済み、最も像側に配置されるレンズのパワーを負とし且つ当該レンズを像面近傍に配置する構成により、諸収差の補正を容易にして、高性能を実現することが可能な光学系が開示されている。
しかしながら、特許文献１には、大きくても４５°程度までの画角のレンズの例しか示されていない。すなわち、この特許文献１においては、近年における画像読取装置の小型化と画像読み取りの高速化に伴う、画像読取レンズの広画角化および諸収差の補正のさらなる容易化の要求については述べられておらず、５６°以上の画角で諸収差を良好に補正することを実現した光学系は存在しない。
本発明は、上述した事情に鑑みてなされたもので、５６°以上の画角であっても、レンズ枚数がガウス型のものに比して同等以下と少なく、小型を維持し、しかも諸収差を容易に補正することを可能とし、高画質の画像読取レンズを提供することを目的としている。
【課題を解決するための手段】
【０００５】
本発明に係る画像読取レンズは、上述した目的を達成するために、
原稿画像を読み取るための画像読取レンズであって、
物体側に前群レンズ系、像側に後群レンズ系をそれぞれ配置して、
前記前群レンズ系を、それぞれ１枚以上の正レンズおよび負レンズからなる５枚以下のレンズで構成し、
前記後群レンズ系を、１枚の負レンズで構成して、
当該画像読取レンズ全系の画角を５６°以上とし、且つ
前記前群レンズ系および前記後群レンズ系は、前記前群レンズ系と前記後群レンズ系との間隔の変化に対して、当該画像読取レンズ全系の焦点距離の変化が小さく且つ像面の変化が大きな構成として、
前記前群レンズ系と前記後群レンズ系との間隔を調整して所要のレンズ性能を得る構成とし、
前記後群レンズ系の焦点距離をｆｒ、当該画像読取レンズ全系の焦点距離をｆとし、
前記前群レンズ系の最も像側のレンズの像側レンズ面の曲率半径をＲａとし、前記後群レンズ系の負レンズの物体側レンズ面の曲率半径をＲｂとし、前記後群レンズ系の負レンズの像側レンズ面の曲率半径をＲｃ、として、
下記条件式〔１〕、〔２〕、〔３〕：
〔１〕  −１．００  ＜  ｆｒ／ｆ  ＜  −０．５０
〔２〕  １．０  ＜  （Ｒｃ＋Ｒｂ）／（Ｒｃ−Ｒｂ）  ＜  １．５
〔３〕  １．０  ＜  Ｒａ／Ｒｂ  ＜  ２．８
を共に満足することを特徴としている。
【発明の効果】
【０００６】
本発明によれば、
原稿画像を読み取るための画像読取レンズであって、
物体側に前群レンズ系、像側に後群レンズ系をそれぞれ配置して、
前記前群レンズ系を、それぞれ１枚以上の正レンズおよび負レンズからなる５枚以下のレンズで構成し、
前記後群レンズ系を、１枚の負レンズで構成して、
当該画像読取レンズ全系の画角を５６°以上とし、且つ
前記前群レンズ系および前記後群レンズ系は、前記前群レンズ系と前記後群レンズ系との間隔の変化に対して、当該画像読取レンズ全系の焦点距離の変化が小さく且つ像面の変化が大きな構成として、
前記前群レンズ系と前記後群レンズ系との間隔を調整して所要のレンズ性能を得る構成とし、
前記後群レンズ系の焦点距離をｆｒ、当該画像読取レンズ全系の焦点距離をｆとし、
前記前群レンズ系の最も像側のレンズの像側レンズ面の曲率半径をＲａとし、前記後群レンズ系の負レンズの物体側レンズ面の曲率半径をＲｂとし、前記後群レンズ系の負レンズの像側レンズ面の曲率半径をＲｃ、として、
下記条件式〔１〕、〔２〕、〔３〕：
〔１〕  −１．００  ＜  ｆｒ／ｆ  ＜  −０．５０
〔２〕  １．０  ＜  （Ｒｃ＋Ｒｂ）／（Ｒｃ−Ｒｂ）  ＜  １．５
〔３〕  １．０  ＜  Ｒａ／Ｒｂ  ＜  ２．８
を共に満足することにより、
５６°以上の画角を得て、レンズ枚数が、ガウス型のものに比して同等以下と少なく、小型を維持しつつ、良好に諸収差を補正し、高い画像品質が得られる画像読取レンズを提供することができる。
【図面の簡単な説明】
【０００７】
【図１】本発明の第１の実施の形態に係る前群レンズ系と後群レンズ系との間隔の調整機構を備えた画像読取レンズの模式的構成を示す調整機構図である。
【図２】本発明の第２の実施の形態に係る前群レンズ系と後群レンズ系との間隔の調整機構を備えた画像読取レンズの要部の模式的構成を示す調整機構図である。
【図３】本発明の第３の実施の形態に係る前群レンズ系と後群レンズ系との間隔の調整機構を備えた画像読取レンズの要部の模式的構成を示す調整機構図である。
【図４】本発明の第４の実施の形態に係る前群レンズ系と後群レンズ系との間隔の調整機構を備えた画像読取レンズの要部の模式的構成を示す調整機構図である。
【図５】本発明の第５の実施の形態に係る画像読取レンズの実施例１の構成を示す断面図である。
【図６】図５の画像読取レンズの球面収差、非点収差、歪曲収差およびコマ収差を示す収差図である。
【図７】本発明の第６の実施の形態に係る画像読取レンズの実施例２の要部の構成を示す断面図である。
【図８】図７の画像読取レンズの球面収差、非点収差、歪曲収差およびコマ収差を示す収差図である。
【図９】本発明の第７の実施の形態に係る画像読取レンズの実施例３の構成を示す断面図である。
【図１０】図９の画像読取レンズの球面収差、非点収差、歪曲収差およびコマ収差を示す収差図である。
【図１１】本発明の第８の実施の形態に係る画像読取装置の要部の概念的な構成を示す断面図である。
【図１２】本発明の第９の実施の形態に係る画像読取装置の要部の概念的な構成を示す断面図である。
【図１３】本発明の第１０の実施の形態に係る画像形成装置の要部の概念的な構成を示す断面図である。
【発明を実施するための形態】
【０００８】
以下、本発明の実施の形態に基づき、図面を参照して本発明に係る画像読取レンズ、画像読取装置および画像形成装置を詳細に説明する。具体的な実施例について説明する前に、まず、本発明の原理的な実施の形態を説明する。
先に述べたように、従来から広く知られているガウス型の画像読取レンズは、比較的大口径で高解像度を実現することができる。しかしながら、ガウス型の画像読取レンズで、近年求められている高性能を実現しようとすると、レンズ構成枚数の増加およびそれに伴う光学系の大型化を避けることができない。そこで、ガウス型の画像読取レンズと比較して、レンズ構成枚数が少なく、３枚〜５枚構成によって、ガウス型と同等またはそれ以上の性能を得ることが可能な画像読取レンズとして、特許文献１等に開示された画像読取レンズがある。
しかしながら、特許文献１には、大きくても４５°程度までの画角のレンズの例しか示されていない。すなわち、特許文献１においては、近年における画像読取装置の小型化と画像読み取りの高速化に伴う、画像読取レンズの広画角化および諸収差の補正のさらなる容易化の要求については述べられておらず、５６°以上の画角を得てしかも諸収差を良好に補正することについては、検討されていない。
【０００９】
そこで、本発明の第１の実施の形態に係る原稿画像を読み取るための画像読取レンズにおいては、物体側に前群レンズ系、像側に後群レンズ系をそれぞれ配置して、前記前群レンズ系を、それぞれ１枚以上の正レンズおよび負レンズからなる５枚以下のレンズで構成し、前記後群レンズ系を、１枚の負レンズで構成して、当該画像読取レンズ全系の画角を５６°以上とし、且つ前記前群レンズ系および前記後群レンズ系は、前記前群レンズ系と前記後群レンズ系との間隔の変化に対して、当該画像読取レンズ全系の焦点距離の変化が小さく且つ像面の変化が大きな構成として、前記前群レンズ系と前記後群レンズ系との間隔を調整して所要のレンズ性能を得ることが可能な構成を基本としている。
すなわち、画角が５６°以上のレンズにおいて、レンズ全体を６枚以下のレンズで構成し、前群レンズ系と後群レンズ系との間での効果的なレンズ性能の調整を可能として、小型で高性能な画像読取レンズを得ることを可能としている。特に、このように画角が５６°以上と広い画角を持つレンズでは、各レンズが担う収差補正量が大きく、上述した条件を満足することによって、前群レンズ系と後群レンズ系との間での効果的なレンズ性能の調整が可能となる。
【００１０】
この場合、前群レンズ系と後群レンズ系は、共通の保持部材で保持しても良いし、それぞれ前群保持手段と後群保持手段により保持し、それら各保時手段を一体的に連結する連結手段をさらに有するように構成することもできる。前者の共通の保持部材で保持する場合に前群レンズ系と後群レンズ系との間に設ける調整機構には、間隔環等を用いることができる。後者の前群レンズ系と後群レンズ系それぞれの個別の保持手段を連結手段で連結する場合に前群レンズ系と後群レンズ系との間に設ける調整機構には、連結部に調整部材を介挿し、この調整部材に各保持手段を押し当てて、所要の間隔とする方法、各保持手段および連結手段の少なくともいずれかに相互位置調整のためのスライド調整機構等を設けて、スライド位置調整により所要の間隔とする方法、または各保持手段および連結手段の少なくともいずれかにスライド機構および調整位置固定機構を設けて、所要の間隔に調整固定する方法などを用いることができる。さらに、前群レンズ系と後群レンズ系それぞれの個別の保持手段を相互に接着固定する構成とし、接着位置の調整により所要の間隔とする方法により、調整機構を兼ねるようにすることもできる。
【００１１】
また、前群レンズ系と後群レンズ系とをそれぞれ保持する個別の保持手段を、光軸に対して独立に回転位置を調整し得る構成とすれば、前群レンズ系と後群レンズ系とを相対的に回転させることで、偏心等による像面の傾きを補正することも可能となる。
さらに、上述した構成においては、後群レンズ系である最も像側の最終レンズに負レンズを用いることで小型化を実現している。最終レンズを負レンズとすることで物体距離を長めにとり、像距離を短くしている。このようにすることによって、ミラー等の配置についての制約が減り、画像読取装置全体としての小型化も可能となる。後述する画像読取レンズの構成を示す複数の実施例（実施例１〜実施例３）においては、後群レンズ系の負レンズの像側レンズ面から像面までの光軸上の距離であるバックフォーカスをＢＦとし、レンズ全長をＤとしたときのＢＦ／Ｄの値は、０．１３〜０．２１となる。
さらに、上述した画像読取用レンズは、次の条件式〔１〕を満足させることにより、前群レンズ系と後群レンズ系との間隔の調整による焦点距離の変動を小さくして、共役長の変化を抑えることが可能となり、画像読取レンズのさらなる小型化を図り、当該画像読取レンズを用いた画像読取装置全体を小型に構成することが可能となる。
【００１２】
〔１〕  −１．００  ＜  ｆｒ／ｆ  ＜  −０．５０
ここで、ｆｒは後群レンズ系の焦点距離を、ｆは画像読取レンズ全系の焦点距離をそれぞれあらわしている。
条件式〔１〕は、画像読取レンズ全系の焦点距離と後群レンズ系の焦点距離との比率を規定するものである。
条件式〔１〕において、ｆｒ／ｆが条件式〔１〕の上限値以上となると、前群レンズ系と後群レンズ系の間隔の変化による焦点距離の変動が大きくなり過ぎてしまい、調整が困難となる。ｆｒ／ｆが条件式〔１〕の下限値以下となると、後群レンズ系の負レンズが担うパワーが全体に対して小さくなり過ぎてしまい、画角５６°以上の広い画角のレンズにおいて良好な収差補正を行うことが困難となる。
なお、共役長の変動を抑制することは、光学系を小型化する上で重要である。特に、小型を意図して画角が広いレンズの場合には、上述した構成において条件式〔１〕を満足することにより、前群レンズ系と後群レンズ系の間隔による調整時に、焦点距離の変動を小さく抑えることができ、共役長の変動が小さく、小型を維持しつつ高い画質を得ることが可能となる。
【００１３】
さらに、本発明に係る画像読取レンズは、次の条件式〔２〕および条件式〔３〕を共に満足させることにより、前群レンズ系と後群レンズ系の間隔による調整における像面の変動量を過不足なく得ることが可能となる。
〔２〕  １．０  ＜  （Ｒｃ＋Ｒｂ）／（Ｒｃ−Ｒｂ）  ＜  １．５
〔３〕  １．０  ＜  Ｒａ／Ｒｂ  ＜  ２．８
ここで、Ｒａは前群レンズ系の最も像側のレンズの像側レンズ面の曲率半径を、Ｒｂは後群レンズ系の負レンズの物体側レンズ面の曲率半径を、Ｒｃは後群レンズ系の負レンズの像側レンズ面の曲率半径をそれぞれあらわしている。
条件式〔２〕は、画像読取レンズの後群レンズ系の負レンズのレンズ形状を規定するものであり、条件式〔３〕は、前群レンズ系の最も像側のレンズの像側レンズ面の曲率半径と後群レンズ系の負レンズの物体側レンズ面の曲率半径との比率を規定するものである。
条件式〔２〕において、（Ｒｃ＋Ｒｂ）／（Ｒｃ−Ｒｂ）が条件式〔２〕の上限値以上となると、後群レンズ系の負レンズの物体側のレンズ面と前群レンズ系の最も像側のレンズ面との曲率が近くなり過ぎて、軸外のメリディオナル光線の変動が小さくなり、前群レンズ系と後群レンズ系の間隔により像面の倒れの補正を行うことが困難となる。
【００１４】
また、（Ｒｃ＋Ｒｂ）／（Ｒｃ−Ｒｂ）が件式〔２〕の下限値以下となると、後群レンズ系の負レンズの物体側のレンズ面の曲率が強くなり、良好な収差補正を行うことが困難となる。
また、条件式〔３〕において、Ｒａ／Ｒｂを条件式〔３〕の下限値と上限値で挟まれる範囲内とすることにより、前群レンズ系と後群レンズ系との間隔による調整において良好な像面の変動量を得ることが可能となる。
すなわち、上述した構成の画像読取レンズにおいて、後群レンズ系の負レンズの形状および前群レンズ系の最も像側のレンズの像側レンズ面と後群レンズ系の負レンズの物体側レンズ面との関係が条件式〔２〕および条件式〔３〕を満足することによって、前群レンズ系と後群レンズ系との間隔の調整により、軸外の像面の良好な変動量を得ることができ、前群レンズ系と後群レンズ系との間隔の調整により、像面を合わせることができて、高い画質を得ることが可能となる（以上、請求項１に対応する）。
さらに、本発明に係る画像読取レンズは、次の条件式〔４〕を満足することにより、さらなる小型化を図ることが可能となる（請求項２に対応する）。
【００１５】
〔４〕  ０．２  ＜  ｄｓ／Ｄ  ＜  ０．６
ここで、ｄｓは前群レンズ系と後群レンズ系との間の光軸上の距離を、Ｄはレンズ全長を、それぞれあらわしている。
条件式〔４〕は、画像読取レンズの全長に対する前群レンズ系と後群レンズ系の間の光軸上の距離の大きさを規定するものである。
条件式〔４〕において、ｄｓ／Ｄが条件式〔４〕の上限値以上となると、画像読取レンズの全長が増加するため大型化してしまう。ｄｓ／Ｄが条件式〔４〕の下限値以下となると、前群レンズ系の径が大きくなって、画像読取レンズの大型化を招き、コストアップが生じてしまう。
さらに、本発明に係る画像読取レンズは、次の条件式〔５〕を満足することにより、さらに良好な軸外収差補正を実現することが可能となる（請求項３に対応する）。
〔５〕  ０．１２  ＜  （φｂ−φａ）／２ｄｓ  ＜０．２８
ここで、φａは前群レンズ系の最も像側のレンズの像側レンズ面の有効径を、φｂは後群レンズ系の負レンズの物体側レンズ面の有効径を、ｄｓは前群レンズ系と後群レンズ系との間の光軸上の距離を、それぞれあらわしている。
【００１６】
条件式〔５〕は、前群レンズ系と後群レンズ系との間の光軸上の距離に対する、前群レンズ系の最も像側のレンズの像側レンズ面の有効径と後群レンズ系の負レンズの物体側レンズ面の有効径との差の比率を規定するものである。
条件式〔５〕において、（φｂ−φａ）／２ｄｓが条件式〔５〕の範囲を外れると、後群レンズ系の負レンズの物体側レンズ面および像側レンズ面で軸外光線の急激な曲がりを生じてしまい、良好な収差補正を実現することが困難となる。
またさらに、本発明に係る画像読取レンズは、後群レンズ系を構成する負レンズの少なくとも一方の面は、非球面であることが望ましい（請求項４に対応する）。このように後群レンズ系を構成する負レンズの少なくとも一方の面を非球面とすることにより、歪曲収差、つまりディストーションによる画像の歪曲を効果的に補正することが可能となる。
さらに、本発明に係る画像読取レンズは、前群レンズ系を構成する複数のレンズの少なくとも１つの面は、非球面であることが望ましい（請求項５に対応する）。前群レンズ系を構成する複数のレンズの少なくとも１つの面を非球面とすることにより、一層効果的に収差を補正することが可能となる。
また、本発明に係る画像読取レンズは、撮像素子を構成する受光素子アレイが像面に配置されるため、後群レンズ系を構成する負レンズの外形形状を、光軸に対して回転対称でない形状としても良く（請求項６に対応する）、さらには副走査方向よりも主走査方向に長い短冊形または小判形等の形状とすることが望ましい（請求項７に対応する）。
【００１７】
上述した画像読取レンズのような構成で高画質を得ようとすると、後群レンズ系のレンズ径が巨大化してしまう傾向があるが、撮像素子として受光素子アレイを用いる場合には、受光素子の配列方向である主走査方向に対応する単一の方向についてのみ、光線が通る寸法を確保すれば良い。そのため、受光素子の配列と直交する副走査方向については、画像読取レンズの寸法をレンズ径よりも小さくすることができ、全体としては、小型化が可能となる。
もちろん、後群レンズ系を構成する負レンズの外形形状を光軸に対して回転対称とすることもできる。また、この場合、撮像素子としてエリアセンサを用いて画像の全画面を同時に読み取る構成とすることもできる。
さらに、後述の本発明の第８の実施の形態および第９の実施の形態に係る画像読取装置においては、原稿を照明する照明系と、前記照明系により照明された原稿の反射光を縮小結像させる結像レンズと、前記結像レンズにより結像された原稿像を光電変換する撮像素子と、を有する画像読取装置に、前記結像レンズとして上述した画像読取レンズを用いることにより、小型で、温度変化に伴う画像読取精度の低下を効果的に補正し得る高性能な画像読取装置とすることが可能となる（請求項８に対応する）。
【００１８】
また、後述する本発明の第１０の実施の形態に係る画像形成装置においては、原稿画像を読み取って電気的な画像データを得る画像読取装置と、その画像データに基づく２次元画像を用紙等の出力媒体上に形成して出力する画像出力装置とを有する画像形成装置における画像読取装置を、結像レンズに上述した画像読取レンズを用いる画像読取装置で構成する（請求項９に対応する）。結像レンズに上述した画像読取レンズを備える画像読取装置を用いて画像形成装置を構成することにより、小型で、温度変化に伴う画像読取精度の低下を効果的に補正し得る高性能な画像形成装置とすることが可能となる。
【００１９】
〔第１の実施の形態〕
次に、本発明の複数の実施の形態につき順次詳細に説明する。第１の実施の形態〜第４の実施の形態は、本発明に係る画像読取レンズの前群レンズ系と後群レンズ系との間隔の調整機構についての実施の形態である。図１は、本発明の第１の実施の形態に係る画像読取レンズの前群レンズ系と後群レンズ系との間隔の調整機構を示す調整機構図であり、図２は、本発明の第２の実施の形態に係る画像読取レンズの前群レンズ系と後群レンズ系との間隔の調整機構を示す調整機構図であり、図３は、本発明の第３の実施の形態に係る画像読取レンズの前群レンズ系と後群レンズ系との間隔の調整機構を示す調整機構図であり、そして図４は、本発明の第４の実施の形態に係る画像読取レンズの前群レンズ系と後群レンズ系との間隔の調整機構を示す調整機構図である。
これら第１の実施の形態〜第４の実施の形態は、前群レンズ系と後群レンズ系との間隔の調整機構の構成を例示するものである。
図１に示す画像読取レンズは、前群レンズ系ＧＦ１、後群レンズ系ＧＲ１および調整部材ＳＰを具備している。
【００２０】
すなわち、画像読取レンズは、５６°以上の画角を有する構成とすべく、物体側に前群レンズ系ＧＦ１を、像側に後群レンズ系ＧＲ１をそれぞれ配置し、前群レンズ系ＧＦ１は、それぞれ１枚以上の正レンズおよび負レンズからなる５枚以下のレンズで構成し、後群レンズ系ＧＲ１は、１枚の負レンズで構成し、レンズ全体として６枚以下のレンズからなるとともに、前群レンズ系ＧＦ１と後群レンズ系ＧＲ１との間の間隔の変化による焦点距離の変化を小さく、且つ像面の変化を大きく構成するすることで、前群レンズ系ＧＦ１と後群レンズ系ＧＲ１との間隔での調整を可能として、小型で高性能な画像読取レンズとする。
特に上述のように画角が５６°以上と広い画角を持つレンズにおいては、各レンズが担う収差補正量が大きく、上述した条件を満足することによって、前群レンズ系ＧＦ１と後群レンズ系ＧＲ１との間隔による調整が可能となる。
前群レンズ系ＧＦ１と後群レンズ系ＧＲ１は、共通の保持部材により保持するようにしてもよいし、前群レンズ系ＧＦ１を保持する前群保持手段と、後群レンズ系ＧＲ１を保持する後群保持手段と、それらの保時手段を一体的に連結する連結手段とを設ける構成としてもよい。
【００２１】
図１に示す第１の実施の形態の画像読取レンズにおいては、前群レンズ系ＧＦ１と後群レンズ系ＧＲ１を、共通の保持部材により保持する場合の前群レンズ系ＧＦ１と後群レンズ系ＧＲ１との間に配置する調整機構としては、図１に示すように、間隔環等の調整部材ＳＰを介挿して、この調整部材ＳＰの両面に前群レンズ系ＧＦ１と後群レンズ系ＧＲ１を押し当ててこれら相互の間隔を調整する構成をとる。光軸方向についての厚み寸法が異なる調整部材ＳＰを選択的に用いることにより、前群レンズ系ＧＦ１と後群レンズ系ＧＲ１との相互間隔を調整することができる。
【００２２】
〔第２の実施の形態〕
図２は、本発明の第２の実施の形態に係る画像読取レンズの上方から見た概念的な構成を模式的に示している。
図２に示す画像読取レンズは、前群レンズ系ＧＦ２、後群レンズ系ＧＲ２およびベース部材ＭＢ１を具備している。
すなわち、第１の実施の形態の場合と同様に、画像読取レンズは、５６°以上の画角を有する構成とすべく、物体側に前群レンズ系ＧＦ２を、像側に後群レンズ系ＧＲ２をそれぞれ配置し、前群レンズ系ＧＦ２は、それぞれ１枚以上の正レンズおよび負レンズからなる５枚以下のレンズで構成し、後群レンズ系ＧＲ２は、１枚の負レンズで構成し、レンズ全体として６枚以下のレンズからなるとともに、前群レンズ系ＧＦ２と後群レンズ系ＧＲ２との間の間隔の変化による焦点距離の変化を小さく、且つ像面の変化を大きく構成するすることで、前群レンズ系ＧＦ２と後群レンズ系ＧＲ２との間隔での調整を可能として、小型で高性能な画像読取レンズとする。
【００２３】
この第２の実施の形態の画像読取レンズにおいては、前群レンズ系ＧＦ２と、後群レンズ系ＧＲ２とを、一体的に支持連結する連結手段として、これらに共通の支持部材としてのベース部材ＭＢ１を設ける。ベース部材ＭＢ１に設けた溝部等のスライドガイドＳＧ１により、前群レンズ系ＧＦ２を光軸方向について変位調整可能に支持させる。同様に、ベース部材ＭＢ１に設けた２本の溝部等のスライドガイドＳＧ２およびＳＧ３により、後群レンズ系ＧＲ２を光軸方向について変位調整可能に支持させる。ベース部材ＭＢ１のスライドガイドＳＧ１により前群レンズ系ＧＦ２の光軸方向についての変位を調整し、且つベース部材ＭＢ１のスライドガイドＳＧ２、ＳＧ３により後群レンズ系ＧＲ２の光軸方向についての変位を調整することによって、前群レンズ系ＧＦ２と後群レンズ系ＧＲ２との相互間隔を調整することができる。
【００２４】
〔第３の実施の形態〕
図３は、本発明の第３の実施の形態に係る画像読取レンズの上方から見た概念的な構成を模式的に示している。
図３に示す画像読取レンズは、前群レンズ系ＧＦ３、後群レンズ系ＧＲ３、スライドベースＳＢおよびベース部材ＭＢ２を具備している。
すなわち、画像読取レンズは、５６°以上の画角を有する構成とすべく、物体側に前群レンズ系ＧＦ３を、像側に後群レンズ系ＧＲ３をそれぞれ配置し、前群レンズ系ＧＦ３は、それぞれ１枚以上の正レンズおよび負レンズからなる５枚以下のレンズで構成し、後群レンズ系ＧＲ３は、１枚の負レンズで構成し、レンズ全体として６枚以下のレンズからなるとともに、前群レンズ系ＧＦ３と後群レンズ系ＧＲ３との間の間隔の変化による焦点距離の変化を小さく、且つ像面の変化を大きく構成するすることで、前群レンズ系ＧＦ３と後群レンズ系ＧＲ３との間隔での調整を可能として、小型で高性能な画像読取レンズとする。
図３に示す第３の実施の形態に係る画像読取レンズにおいては、前群レンズ系ＧＦ３と、後群レンズ系ＧＲ３とを、一体的に支持連結する連結手段として、これらに共通の支持部材としてのベース部材ＭＢ２を設ける。
【００２５】
ベース部材ＭＢ２には、前群レンズ系ＧＦ３を一体に固定支持させる。スライドベースＳＢには、後群レンズ系ＧＲ３を一体に固定支持させる。後群レンズ系ＧＲ３が固定されたスライドベースＳＢを、ベース部材ＭＢ２に設けた２本の溝部等のスライドガイドＳＧ４およびＳＧ５により、光軸方向について変位調整可能に、且つ調整した位置に固定ネジＦＳ１およびＦＳ２により固定支持させる。後群レンズ系ＧＲ３が固定されたスライドベースＳＢを、ベース部材ＭＢ２のスライドガイドＳＧ４、ＳＧ５により、すなわちの光軸方向について位置調整し且つ固定ネジＦＳ１およびＦＳ２によりベース部材ＭＢ２に固定することによって、前群レンズ系ＧＦ３と後群レンズ系ＧＲ３との相互間隔を調整固定することができる。
なお、図３においては、前群レンズ系ＧＦ３をベース部材ＭＢ２に固定し、後群レンズ系ＧＲ３をスライドベースＳＢを介してベース部材ＭＢ２に対し位置調整する構成としたが、例えば、後群レンズ系ＧＲ３をベース部材ＭＢ２に固定し、前群レンズ系ＧＦ３をスライドベースを介してベース部材ＭＢ２に対し位置調整する構成とするなどしてもよい。
【００２６】
〔第４の実施の形態〕
図４は、本発明の第４の実施の形態に係る画像読取レンズの概念的な構成を模式的に示している。
図４に示す画像読取レンズは、前群レンズ系ＧＦ４、後群レンズ系ＧＲ４、前群接着突起ＰＦおよび後群接着突起ＰＲを具備している。
すなわち、画像読取レンズは、５６°以上の画角を有する構成とすべく、物体側に前群レンズ系ＧＦ４を、像側に後群レンズ系ＧＲ４をそれぞれ配置し、前群レンズ系ＧＦ４は、それぞれ１枚以上の正レンズおよび負レンズからなる５枚以下のレンズで構成し、後群レンズ系ＧＲ４は、１枚の負レンズで構成し、レンズ全体として６枚以下のレンズからなるとともに、前群レンズ系ＧＦ４と後群レンズ系ＧＲ４との間の間隔の変化による焦点距離の変化を小さく、且つ像面の変化を大きく構成するすることで、前群レンズ系ＧＦ４と後群レンズ系ＧＲ４との間隔での調整を可能として、小型で高性能な画像読取レンズとする。
【００２７】
この第４の実施の形態に係る画像読取レンズにおいては、前群レンズ系ＧＦ４と、後群レンズ系ＧＲ４とを、一体的に支持連結する連結手段として、前群レンズ系ＧＦ４から外周方向および光軸に沿って後方に突出する前群接着突起ＰＦおよび後群レンズ系ＧＲ４から光軸方向に沿って前方に突出する後群接着突起ＰＲをそれぞれ設けている。
前群レンズ系ＧＦ４と、後群レンズ系ＧＲ４との間隔を調整設定して、前群接着突起ＰＦと後群接着突起ＰＲとを図４に示すように相互に接着し連結保持することによって、前群レンズ系ＧＦ４と後群レンズ系ＧＲ４との相互間隔を調整固定することができる。
また、先に述べたように、前群レンズ系と後群レンズ系とを、相互間隔の調整と同時に光軸に対して回転調整可能とすれば、前群レンズ系を後群レンズ系に対して回転させることによって、偏心等による像面の傾きを補正することも可能となる。
【実施例１】
【００２８】
〔第５の実施の形態〕
次に、本発明の第５の実施の形態に基づく、画像読取レンズの具体的な実施例（数値実施例。以下同じ）を詳細に説明する。
実施例１〜実施例３は、本発明の第５の実施の形態〜第７の実施の形態に係る画像読取レンズの数値例による具体的な構成の実施例である。図５および図６は、本発明の第５の実施の形態であって且つ実施例１における画像読取レンズを説明するためのものであり、図７および図８は、本発明の第６の実施の形態であって且つ実施例２における画像読取レンズを説明するためのものであり、そして図９および図１０は、本発明の第７の実施の形態であって且つ実施例３における画像読取レンズを説明するためのものである。
これら実施例１〜実施例３における収差は、充分に補正されている。すなわち、本発明に係る第５の実施の形態〜第７の実施の形態のように画像読取レンズを構成することによって、非常に良好な像性能を確保し得ることは、これら実施例１〜実施例３から明らかである。
これら実施例１〜実施例３に共通の記号の意味は、次の通りである。
【００２９】
Ｆ：Ｆ値（Ｆナンバ）
Ｙ′：像高
ｒ：曲率半径
ｄ：面間隔
ｎｅ：ｅ線の屈折率
νｅ：ｅ線のアッベ数
φ：光学面の有効径
Ｋ：非球面の円錐定数
Ａ４：４次の非球面係数
Ａ６：６次の非球面係数
Ａ８：８次の非球面係数
Ａ１０：１０次の非球面係数
ここで用いられる非球面形状は、近軸曲率半径の逆数（近軸曲率）をＣ、光軸からの高さをＨ、そして円錐定数をＫとし、上述した各次数の非球面係数を用い、Ｘを光軸方向における非球面量として、次の式〔６〕で定義され、近軸曲率半径および円錐定数、並びに非球面係数を与えて形状を特定する。
【００３０】
【数１】
2014228756.tif 000003
【００３１】
図５は、本発明の第５の実施の形態であって且つ実施例１の画像読取レンズの光学系の縦断面構成を示している。
図５に示す画像読取レンズは、第１レンズＥ１、第２レンズＥ２、第３レンズＥ３、第４レンズＥ４、第５レンズＥ５、第６レンズＥ６、開口絞りＡＤ、コンタクトガラスＣＴＧおよびカバーガラスＣＶＧを具備している。
図５において、画像読取レンズの光学系を構成する各光学要素は、被写体である画像原稿側、すなわち物体側から像面側へ向かって、順次、コンタクトガラスＣＴＧ、第１レンズＥ１、第２レンズＥ２、開口絞りＡＤ、第３レンズＥ３、第４レンズＥ４、第５レンズＥ５、第６レンズＥ６、そしてカバーガラスＣＶＧを配置している。
コンタクトガラスＣＴＧは、原稿載置ガラス等として、その表面に画像原稿が密着配置される一般に平行平板からなるガラスである。
第１レンズＥ１は、像側よりも曲率が大きな凸面（すなわち曲率半径が小さな面）を物体側に向けた両凸レンズからなる正レンズであり、その物体側に非球面を形成しており、第２レンズＥ２は、物体側よりも曲率が大きな凹面を像側に向けた両凹レンズからなる負レンズである。これら第１レンズＥ１と第２レンズＥ２の２枚のレンズは、互いに密接して貼り合わせられて一体に接合され、２枚接合からなる接合レンズを形成している。
【００３２】
開口絞りＡＤは、第２レンズＥ２と第３レンズＥ３との間に介挿配置される。
第３レンズＥ３は、凹面を物体側に向けた負メニスカスレンズである。
第４レンズＥ４は、物体側よりも曲率が大きな凸面を像側に向けた両凸レンズからなる正レンズであり、第５レンズＥ５は、凹面を物体側に向けた負メニスカスレンズである。これら第４レンズＥ４と第５レンズＥ５の２枚のレンズは、互いに密接して貼り合わせられて一体に接合され、２枚接合からなる接合レンズを形成している。
これら第１レンズＥ１、第２レンズＥ２、開口絞りＡＤ、第３レンズＥ３、第４レンズＥ４および第５レンズＥ５により、前群レンズ系Ｇｆを構成している。
第６レンズＥ６は、凹面を物体側に向けた負メニスカスレンズであり、その物体側と像側の両側に非球面を形成していて、この第６レンズＥ６単体で後群レンズ系Ｇｒを構成している。
カバーガラスＣＶＧは、当該画像読取レンズにより結像された原稿画像の光学像を撮像して電子的な画像データを得るＣＣＤ（電荷結合素子）イメージセンサやＣＭＯＳ（相補型金属酸化物半導体）イメージセンサのような固体撮像素子の撮像面を保護するための一般に平行平板からなるシールガラスであり、光学ローパスフィルタ・赤外カットフィルタ等の各種光学フィルタや、それに代わるダミーガラスを用いる場合には、それらもこのカバーガラスＣＶＧに含まれるものとする。
【００３３】
すなわち、第１レンズＥ１〜第５レンズＥ５からなる前群レンズ系Ｇｆと、第６レンズＥ６からなる後群レンズ系Ｇｒとから、画像読取レンズ本体を構成しており、コンタクトガラスＣＴＧ上に密着載置された撮像対象の物体である画像原稿の光学像をカバーガラスＣＶＧの後方に結像する。
図５には、各光学面の面番号も示している。なお、図５に対する各参照符号は、参照符号の桁数の増大による説明の煩雑化を避けるため、実施例１〜実施例３の対応する部分について共通に用いており、そのため、図７および図９と共通の参照符号を付していてもそれらに対応する実施例２および実施例３とはかならずしも同一の構成ではない。
この実施例１においては、Ｆ値（Ｆナンバ）Ｆ、画角（全画角）ωおよび像高Ｙ′が、それぞれ、Ｆ＝Ｆ５．００、ω＝５９．０７°およびＹ′＝１５２．４であり、各光学要素の光学特性は、次表の通りである。なお次表１において、コンタクトガラスをＣＴＧ、開口絞りをＡＤ、カバーガラスをＣＶＧ、前群レンズ系をＧｆ、後群レンズ系をＧｒ、第１レンズをＥ１、第２レンズをＥ２、第３レンズをＥ３、第４レンズをＥ４、第５レンズをＥ５そして第６レンズをＥ６として示しており、ＢＦはバックフォーカスをあらわしている。
【００３４】
【表１】
2014228756.tif 000004
【００３５】
表１において、面番号に「＊（アスタリスク）」を付して示した面番号のレンズ面が非球面である。すなわち、表１においては、「＊」が付された第３面、第１２面および第１３面の各光学面が非球面であり、式〔６〕における各非球面のパラメータは、次表２の通りである。なお、非球面係数において、「Ｅｎ」は、「１０のべき乗」すなわち「×１０ｎ」をあらわし、例えば「Ｅ−０５」は、「×１０−５」をあらわしている。これらは、他の実施例についても同様である。
【００３６】
【表２】
2014228756.tif 000005
【００３７】
この場合、条件式〔１〕〜条件式〔５〕に対応する値は、次表３の通りとなり、それぞれ条件式〔１〕〜条件式〔５〕を満足している。
【００３８】
【表３】
2014228756.tif 000006
【００３９】
また、図６に、実施例１における球面収差、非点収差、歪曲収差、並びにコマ収差の各収差図を示している。なお、これらの収差図において、球面収差図における破線は正弦条件をあらわし、非点収差図における実線はサジタル、そして破線はメリディオナルをそれぞれあらわしている。これらは、他の実施例の収差図についても同様である。
【実施例２】
【００４０】
〔第６の実施の形態〕
図７は、本発明の第６の実施の形態であって且つ実施例２の画像読取レンズの光学系の縦断面の概念的な構成を示している。
図７に示す画像読取レンズは、第１レンズＥ１、第２レンズＥ２、第３レンズＥ３、第４レンズＥ４、第５レンズＥ５、第６レンズＥ６、開口絞りＡＤ、コンタクトガラスＣＴＧおよびカバーガラスＣＶＧを具備している。
図７において、画像読取レンズの光学系を構成する各光学要素は、被写体である画像原稿側、すなわち物体側から像面側へ向かって、順次、コンタクトガラスＣＴＧ、第１レンズＥ１、第２レンズＥ２、開口絞りＡＤ、第３レンズＥ３、第４レンズＥ４、第５レンズＥ５、第６レンズＥ６、そしてカバーガラスＣＶＧを配置している。
コンタクトガラスＣＴＧは、原稿載置ガラス等として、その表面に画像原稿が密着配置される一般に透明な平行平板からなるガラスである。
第１レンズＥ１は、像側よりも曲率が大きな凸面を物体側に向けた両凸レンズからなる正レンズであり、その物体側に非球面を形成しており、第２レンズＥ２は、物体側よりも曲率が大きな凹面を像側に向けた両凹レンズからなる負レンズである。これら第１レンズＥ１と第２レンズＥ２の２枚のレンズは、互いに密接して貼り合わせられて一体に接合され、２枚接合からなる接合レンズを形成している。
【００４１】
開口絞りＡＤは、第２レンズＥ２と第３レンズＥ３との間に介挿配置される。
第３レンズＥ３は、物体側より曲率が大きな凹面を像側に向けた両凹レンズからなる負レンズである。
第４レンズＥ４は、物体側よりも曲率が大きな凸面を像側に向けた両凸レンズからなる正レンズであり、第５レンズＥ５は、凹面を物体側に向けた負メニスカスレンズである。これら第４レンズＥ４と第５レンズＥ５の２枚のレンズは、互いに密接して貼り合わせられて一体に接合され、２枚接合からなる接合レンズを形成している。
これら第１レンズＥ１、第２レンズＥ２、開口絞りＡＤ、第３レンズＥ３、第４レンズＥ４および第５レンズＥ５により、前群レンズ系Ｇｆを構成している。
第６レンズＥ６は、凹面を物体側に向けた負メニスカスレンズであり、その物体側と像側の両側に非球面を形成していて、この第６レンズＥ６単体で後群レンズ系Ｇｒを構成している。
カバーガラスＣＶＧは、当該画像読取レンズにより結像された原稿画像の光学像を撮像して電子的な画像データを得るＣＣＤイメージセンサやＣＭＯＳイメージセンサのような固体撮像素子の撮像面を保護するための一般に平行平板からなるシールガラスであり、光学ローパスフィルタ・赤外カットフィルタ等の各種光学フィルタや、それに代わるダミーガラスを用いる場合には、それらもこのカバーガラスＣＶＧに含まれるものとする。
【００４２】
すなわち、第１レンズＥ１〜第５レンズＥ５からなる前群レンズ系Ｇｆと、第６レンズＥ６からなる後群レンズ系Ｇｒとから、画像読取レンズ本体を構成しており、コンタクトガラスＣＴＧ上に密着載置された撮像対象の物体である画像原稿の光学像をカバーガラスＣＶＧの後方に結像する。
この実施例２においては、Ｆ値Ｆ、画角（全画角）ωおよび像高Ｙ′が、それぞれ、Ｆ＝Ｆ５．００、ω＝５９．１５°およびＹ′＝１５２．４であり、各光学要素の光学特性は、次表４の通りである。なお次表４において、コンタクトガラスをＣＴＧ、開口絞りをＡＤ、カバーガラスをＣＶＧ、前群レンズ系をＧｆ、後群レンズ系をＧｒ、第１レンズをＥ１、第２レンズをＥ２、第３レンズをＥ３、第４レンズをＥ４、第５レンズをＥ５そして第６レンズをＥ６として示しており、ＢＦはバックフォーカスをあらわしている。
【００４３】
【表４】
2014228756.tif 000007
【００４４】
表４においても、面番号に「＊」を付して示した面番号のレンズ面が非球面である。すなわち、表４においては、「＊」が付された第３面、第１２面および第１３面の各光学面が非球面であり、式〔６〕における各非球面のパラメータは、次表５の通りである。
【００４５】
【表５】
2014228756.tif 000008
【００４６】
この場合、条件式〔１〕〜条件式〔５〕に対応する値は、次表６の通りとなり、それぞれ条件式〔１〕〜条件式〔５〕を満足している。
【００４７】
【表６】
2014228756.tif 000009
【００４８】
また、図８に、実施例２における球面収差、非点収差、歪曲収差、並びにコマ収差の各収差図を示している。なお、これらの収差図において、球面収差図における破線は正弦条件をあらわし、非点収差図における実線はサジタル、そして破線はメリディオナルをそれぞれあらわしている。他の実施例の収差図についても同様である。
【実施例３】
【００４９】
〔第７の実施の形態〕
図９は、本発明の第７の実施の形態であって実施例３の画像読取レンズの光学系の縦断面の概念的な構成を模式的に示している。
図９に示す画像読取レンズは、第１レンズＥ１、第２レンズＥ２、第３レンズＥ３、第４レンズＥ４、第５レンズＥ５、第６レンズＥ６、開口絞りＡＤ、コンタクトガラスＣＴＧおよびカバーガラスＣＶＧを具備している。
図９において、画像読取レンズの光学系を構成する各光学要素は、被写体である画像原稿側、すなわち物体側から像面側へ向かって、順次、コンタクトガラスＣＴＧ、第１レンズＥ１、第２レンズＥ２、開口絞りＡＤ、第３レンズＥ３、第４レンズＥ４、第５レンズＥ５、第６レンズＥ６、そしてカバーガラスＣＶＧを配置している。
コンタクトガラスＣＴＧは、原稿載置ガラス等として、その表面に画像原稿が密着配置される一般に平行平板からなるガラスである。
第１レンズＥ１は、凹面を像側に向けた負メニスカスレンズであり、その物体側に非球面を形成しており、第２レンズＥ２は、凹面を像側に向けた正メニスカスレンズである。これら第１レンズＥ１と第２レンズＥ２の２枚のレンズは、互いに密接して貼り合わせられて一体に接合され、２枚接合からなる接合レンズを形成している。
【００５０】
開口絞りＡＤは、第２レンズＥ２と第３レンズＥ３との間に介挿配置される。
第３レンズＥ３は、物体側より曲率が大きな凹面を像側に向けた両凹レンズからなる負レンズであり、第４レンズＥ４は、像側よりも曲率が大きな凸面を物体側に向けた両凸レンズからなる正レンズであり、第５レンズＥ５は、凹面を物体側に向けた正メニスカスレンズである。これら第３レンズＥ３と第４レンズＥ４と第５レンズＥ５の３枚のレンズは、互いに密接して貼り合わせられて一体に接合され、３枚接合からなる接合レンズを形成している。
これら第１レンズＥ１、第２レンズＥ２、開口絞りＡＤ、第３レンズＥ３、第４レンズＥ４および第５レンズＥ５により、前群レンズ系Ｇｆを構成している。
第６レンズＥ６は、凹面を物体側に向けた負メニスカスレンズであり、その物体側と像側の両側に非球面を形成していて、この第６レンズＥ６単体で後群レンズ系Ｇｒを構成している。この第７の実施の形態であって実施例３に係る画像読取レンズは、第３レンズＥ３が第４レンズＥ４と接合されている点で、実施例１および実施例２とは、構成を異にしている。
【００５１】
カバーガラスＣＶＧは、当該画像読取レンズにより結像された原稿画像の光学像を撮像して電子的な画像データを得るＣＣＤイメージセンサやＣＭＯＳイメージセンサのような固体撮像素子の撮像面を保護するための一般に平行平板からなるシールガラスであり、光学ローパスフィルタ・赤外カットフィルタ等の各種光学フィルタや、それに代わるダミーガラスを用いる場合には、それらもこのカバーガラスＣＶＧに含まれるものとする。
すなわち、第１レンズＥ１〜第５レンズＥ５からなる前群レンズ系Ｇｆと、第６レンズＥ６からなる後群レンズ系Ｇｒとから、画像読取レンズ本体を構成しており、コンタクトガラスＣＴＧ上に密着載置された撮像対象の物体である画像原稿の光学像をカバーガラスＣＶＧの後方に結像する。
この実施例３においては、Ｆ値Ｆ、画角（全画角）ωおよび像高Ｙ′が、それぞれ、Ｆ＝Ｆ５．００、ω＝５９．６４°およびＹ′＝１５２．４であり、各光学要素の光学特性は、次表７の通りである。なお次表７において、コンタクトガラスをＣＴＧ、開口絞りをＡＤ、カバーガラスをＣＶＧ、前群レンズ系をＧｆ、後群レンズ系をＧｒ、第１レンズをＥ１、第２レンズをＥ２、第３レンズをＥ３、第４レンズをＥ４、第５レンズをＥ５そして第６レンズをＥ６として示しており、ＢＦはバックフォーカスをあらわしている。
【００５２】
【表７】
2014228756.tif 000010
【００５３】
表７においても、面番号に「＊」を付して示した面番号のレンズ面が非球面である。すなわち、表７においては、「＊」が付された第３面、第１１面および第１２面の各光学面が非球面であり、式〔６〕における各非球面のパラメータは、次表８の通りである。
【００５４】
【表８】
2014228756.tif 000011
【００５５】
この場合、条件式〔１〕〜条件式〔５〕に対応する値は、次表９の通りとなり、それぞれ条件式〔１〕〜条件式〔５〕を満足している。
【００５６】
【表９】
2014228756.tif 000012
【００５７】
また、図１０に、実施例３における球面収差、非点収差、歪曲収差、並びにコマ収差の各収差図を示している。なお、これらの収差図において、球面収差図における破線は正弦条件をあらわし、非点収差図における実線はサジタル、そして破線はメリディオナルをそれぞれあらわしている。他の実施例の収差図についても同様である。
【００５８】
〔第８の実施の形態〕
次に、上述した本発明の第５の実施の形態〜第７の実施の形態に係る実施例１〜実施例３等のような画像読取レンズを画像読取用の結像レンズとして採用して構成した本発明の第８の実施の形態に係る画像読取装置について説明する。
第８の実施の形態および第９の実施の形態は、本発明の第５の実施の形態〜第７の実施の形態に係る実施例１〜実施例３のような画像読取レンズを画像読取用の結像レンズとして採用して構成したものである。図１１は、本発明の第８の実施の形態に係る画像読取装置を説明するためのものであり、そして図１２は、本発明の第９の実施の形態に係る画像読取装置を説明するためのものである。
図１１は、本発明の第８の実施の形態に係る画像読取装置の縦断面の概念的な構成を模式的に示している。この第８の実施の形態に係る画像読取装置においては、上述した実施例１〜実施例３に係る画像読取レンズを画像読取用の結像レンズとして用いる。
図１１に示す画像読取装置１００は、コンタクトガラス１０１、第１走行体１０３、第２走行体１０４、画像読取レンズ１０５およびラインセンサ１０６を具備している。第１走行体１０３は、照明光源１０３ａ、光源ミラー１０３ｂおよび第１ミラー１０３ｃを備え、第２走行体１０４は、第２ミラー１０４ａおよび第３ミラー１０４ｂを備えており、ラインセンサ１０６は、色分解手段として赤（Ｒ）、緑（Ｇ）および青（Ｂ）のフィルタを有し、１チップに３列にライン状に配列して３ラインＣＣＤセンサを構成する光電変換素子１０６ａ、１０６ｂおよび１０６ｃを備えている。画像読取レンズ１０５は、上述した第１〜第３の実施の形態に係る画像読取レンズを用いて構成する。
【００５９】
図１１において、読み取るべき画像が記載されている読み取り対象としての原稿ＴＤは、原稿台としての平坦な原稿載置ガラスであるコンタクトガラス１０１上に読み取り面を伏せて平面的に載置される。コンタクトガラス１０１の下方に配置した第１走行体１０３は、いずれも図１１の図面に直交する方向に長い照明光源１０３ａ、光源ミラー１０３ｂおよび第１ミラー１０３ｃを保持しており、図１１に第１走行体１０３として示される位置から第１走行体１０３′として示される位置まで一定の走行速度Ｖで移動する。
照明光源１０３ａは、図１１の図面に直交する方向を長手方向とする細長い光源である。この照明光源１０３ａとしては、ハロゲンランプ、Ｘｅ（いわゆるキセノン）ランプ、または冷陰極管等の蛍光ランプのような管灯を用いても良く、ＬＥＤ（発光ダイオード）等の点光源を一列に並べたものや、点光源を線光源に変換する導光体を用いた線状光源を用いても良く、あるいは有機ＥＬ（エレクトロルミネッセンス）に代表される面発光光源を細長い形状として用いることも可能である。照明光源１０３ａは、第１走行体１０３が図１１の右方向へ移動変位するときに発光するように制御される。この照明光源１０３ａの発光は、やはり図１１の図面に直交する方向に長い半筒状の光源ミラー１０３ｂによって導光して、コンタクトガラス１０１上に載置された原稿ＴＤにおける図１１の図面に直交する主走査方向に長いスリット状部分を照明する。
【００６０】
第１ミラー１０３ｃは、コンタクトガラス１０１の原稿載置面に対して鏡面を４５度傾けた状態で第１走行体１０３に保持されている。
第２走行体１０４は、図１１の図面に直交する方向に長く、鏡面を互いに直交的に傾けて対をなす第２ミラー１０４ａおよび第３ミラー１０４ｂを保持している。この第２走行体１０４は、第１走行体１０３の変位に同期して第２走行体１０４′として示される位置まで一定の走行速度Ｖ／２（すなわち第１走行体１０３の半分の速度）で変位する。
原稿ＴＤの照明された部分からの反射光（画像による反射光）は、第１走行体１０３に設けられた第１ミラー１０３ｃにより反射された後、第２走行体１０４に設けられた第２ミラー１０４ａ、さらには第３ミラー１０４ｂによって順次反射され、画像読取レンズ１０５に入射し、この画像読取レンズ１０５によって、撮像素子としてのラインセンサ１０６のカバーガラスを介してラインセンサ１０６の撮像面（入力面）上に原稿画像の縮小光学像を結像させる。
すなわち、第１ミラー１０３ｃ、第２ミラー１０４ａおよび第３ミラー１０４ｂは、反射光学系を構成している。第１走行体１０３および第２走行体１０４は、図示されていない駆動手段によって、それぞれ矢印方向（図示右方）へ走行させられる。このときの第１走行体１０３の走行速度をＶとすると、第２走行体１０４の走行速度はＶ／２であり、第１走行体１０３が所定量走行する間に第２走行体１０４は、第１走行体１０３の移動量の半分だけ移動する。
【００６１】
この走行によって、第１走行体１０３および第２走行体１０４は、それぞれ図示破線の位置まで変位する。照明光源１０３ａ、光源ミラー１０３ｂおよび第１ミラー１０３ｃは、第１走行体１０３と一体的に移動し、コンタクトガラス１０１上の原稿ＴＤの全体を照明走査する。既に述べたように第１走行体１０３と第２走行体１０４の移動速度比は、Ｖ：Ｖ／２＝２：１であるので、照明走査される原稿部分から画像読取レンズ１０５に至る光路長はほぼ不変に保たれる。
撮像素子であるラインセンサ１０６は、それぞれ色分解手段として赤（Ｒ）、緑（Ｇ）および青（Ｂ）のフィルタを持ったライン状の光電変換素子１０６ａ、１０６ｂおよび１０６ｃを、１チップに３列配列させた３ラインＣＣＤセンサであり、原稿ＴＤの照明走査に伴い、原稿画像を画像信号化する。このようにして、原稿ＴＤの読取りが実行され、原稿ＴＤのカラー画像は、赤、緑および青の３原色に色分解して読取られる。
このような画像読取装置１００は、画像をフルカラーで読取る装置であって、ラインセンサ１１６に設けられた赤（Ｒ）、緑（Ｇ）および青（Ｂ）のフィルタからなる色分解手段を画像読取レンズ１０５の結像光路中に有している。
【００６２】
上述したように、画像読取レンズ１０５に入射した結像光束は、画像読取レンズ１０５の結像作用により、撮像素子であるラインセンサ１０６の受光面に原稿ＴＤの縮小像を結像する。この場合、ラインセンサ１０６は、ＣＣＤラインセンサであり、微小な光電変換部が図１１の図面に直交する方向に密接して配列されていて、原稿ＴＤの照明走査に伴い、原稿画像を画素単位の電気信号として出力する。既に述べたように、ラインセンサ１０６は、結像画像を３色（赤、緑および青）に色分解して色情報を読み取り、各色の光電変換部で変換された電気信号を合成することによってカラー原稿を読み取ることができる。この電気信号は、Ａ／Ｄ（アナログ−ディジタル）変換等の信号処理を経て画像信号に変換され、必要に応じてメモリ（図示されていない）に記憶される。
このように、図１１に示した画像読取レンズ１０５に本発明に係る画像読取レンズを用いることによって、画像読取装置の小型化が可能となる．
また、色分解する手法としては、上述した構成に限らず、画像読取レンズとラインセンサとの間に色分解プリズムやフィルタを選択的に挿入して、赤（Ｒ）、緑（Ｇ）および青（Ｂ）に色分解する構成、または赤（Ｒ）、緑（Ｇ）および青（Ｂ）の光源を順次点灯させて原稿を照明する構成を用いることができる．
すなわち、本発明の第８の実施の形態に係る画像読取装置は、上述した第１の実施の形態〜第７の実施の形態の画像読取レンズを結像レンズとして使用した画像読取装置である。そして、この画像読取装置は、結像レンズによる結像光路内に色分解機能を設けて、原稿情報をフルカラーで読み取るようにしても良い。
【００６３】
〔第９の実施の形態〕
なお、画像読取装置としては、コンタクトガラス上の原稿をスリット状に照明する照明手段と、ラインセンサと、原稿の被照明部からラインセンサに至る結像光路を形成する複数のミラーと、結像光路上に配置される画像読取レンズとを一体化して画像読取ユニットを構成し、この画像読取ユニットを駆動手段により原稿に相対的に走行させることにより原稿を読み取り走査するようにした形態の画像読取装置とすることもできる。これが上述した本発明の第９の実施の形態に係る画像読取装置の構成である。
すなわち、上述した本発明の第１〜第７の実施の形態に係る画像読取レンズを画像読取用の結像レンズとして採用して構成した本発明の第９の実施の形態に係る画像読取装置について図１２を参照して説明する。
図１２は、本発明の第９の実施の形態に係る画像読取装置の縦断面の概念的な構成を模式的に示している。この第９の実施の形態に係る画像読取装置においても、上述した第１の実施の形態〜第７の実施の形態に係る画像読取レンズを画像読取用の結像レンズとして用いる。
図１２に示す画像読取装置１１０は、コンタクトガラス１０１、画像読取ユニット１１３、画像読取レンズ１１４およびラインセンサ１１５を具備している。
【００６４】
画像読取ユニット１１３は、第１の照明光源１１３ａ、第１の光源ミラー１１３ｂ、第２の照明光源１１３ｃ、第２の光源ミラー１１３ｄ、第１ミラー１１３ｅ、第２ミラー１１３ｆおよび第３ミラー１１３ｇを備えており、ラインセンサ１１５は、色分解手段として赤（Ｒ）、緑（Ｇ）および青（Ｂ）のフィルタを有し、１チップに３列にライン状に配列して３ラインＣＣＤセンサを構成する光電変換素子１１５ａ、１１５ｂおよび１１５ｃを備えている。画像読取レンズ１１４は、上述した第１の実施の形態に係る読取レンズを用いて構成する。
図１２において、読み取るべき画像が記載されている読み取り対象としての原稿ＴＤは、原稿台としての平坦な原稿載置ガラスであるコンタクトガラス１０１上に読み取り面を伏せて平面的に載置される。コンタクトガラス１０１の下方に配置した画像読取ユニット１１３は、いずれも図１２の図面に直交する方向に長い第１の照明光源１１３ａ、第１の光源ミラー１１３ｂ、第２の照明光源１１３ｃ、第２の光源ミラー１１３ｄ、第１ミラー１１３ｅ、第２ミラー１１３ｆおよび第３ミラー１１３ｇを保持しており、画像読取レンズ１１４およびラインセンサ１１５も、この画像読取ユニット１１３と一体的に設けられる。
【００６５】
第１の照明光源１１３ａおよび第２の照明光源１１３ｃは、それぞれ図１２の図面に直交する方向を長手方向とする細長い光源である。これらの第１の照明光源１１３ａおよび第２の照明光源１１３ｃは、図１１における照明光源１０３ａと同様に、ハロゲンランプ、Ｘｅ（いわゆるキセノン）ランプ、または冷陰極管等の蛍光ランプのような管灯を用いても良く、ＬＥＤ（発光ダイオード）等の点光源を一列に並べたものや、点光源を線光源に変換する導光体を用いた線状光源を用いても良く、あるいは有機ＥＬ（エレクトロルミネッセンス）に代表される面発光光源を細長い形状として用いることも可能である。これら第１および第２の照明光源１１３ａおよび１１３ｃも、画像読取ユニット１１３が図１２の右方向へ移動変位するときに発光するように制御される。これら第１および第２の照明光源１１３ａおよび１１３ｃの発光は、やはり図１２の図面に直交する方向に長い半筒状の第１の光源ミラー１１３ｂおよび第２の光源ミラー１１３ｄによって導光して、コンタクトガラス１０１上に載置された原稿ＴＤにおける図１２の図面に直交する主走査方向に長いスリット状部分を照明する。
【００６６】
第１ミラー１１３ｅ、第２ミラー１１３ｆおよび第３ミラー１１３ｇは、いずれも図１２の図面に直交する方向に長く、コンタクトガラス１０１の原稿載置面に対して鏡面を４５度傾け、且つ鏡面を互いに直交的に傾けた状態として画像読取ユニット１１３に保持されている。
画像読取ユニット１１３が図１２に示す画像読取ユニット１１３の位置から画像読取ユニット１１３′として示される位置まで一定速度で移動する間に、原稿ＴＤの照明された部分からの反射光（画像による反射光）は、画像読取ユニット１１３に設けられた第１ミラー１１３ｅ、画像読取ユニット１１３に設けられた第２ミラー１１３ｆ、さらには画像読取ユニット１１３に設けられた第３ミラー１１３ｇによって順次反射され、画像読取レンズ１１４に入射し、この画像読取レンズ１１４によって、撮像素子としてのラインセンサ１１５のカバーガラスを介してラインセンサ１１５の撮像面（入力面）上に原稿画像の縮小光学像を結像させる。
すなわち、第１ミラー１１３ｅ、第２ミラー１１３ｆおよび第３ミラー１１３ｇは、反射光学系を構成している。画像読取ユニット１１３は、図示されていない駆動手段によって、図１２における図示右方へ走行させられる。
【００６７】
したがって、画像読取ユニット１１３が、画像読取ユニット１１３′として示される位置まで変位する間に原稿ＴＤが照明走査される。原稿ＴＤが照明走査されるとき、照明光の原稿ＴＤからの反射光は、第１ミラー１１３ｅ、第２ミラー１１３ｆ、そして第３ミラー１１３ｇによって順次反射され、結像光束として画像読取レンズ１１４に入射する。
このとき、第１ミラー１１３ｅ、第２ミラー１１３ｆ、そして第３ミラー１１３ｇの全てが、画像読取ユニット１１３に一体的に保持されているため、原稿ＴＤの照明走査中における原稿ＴＤの被照明部位から画像読取レンズ１１４に至る光路長は一定である。
画像読取レンズ１１４に入射した結像光束は、画像読取レンズ１１４の結像作用により、撮像素子であるラインセンサ１１５の受光面に原稿ＴＤの画像を縮小結像する。ラインセンサ１１５の受光面に結像された画像は、図１１において、先に述べた画像読取装置の第８の実施の形態の場合と同様にして電気信号に変換され、原稿情報が読み取られる。
【００６８】
〔第１０の実施の形態〕
本発明の第１０の実施の形態においては、上述した本発明の第８の実施の形態および第９の実施の形態等に示す画像読取装置を用いて、画像形成装置を構成する。このような本発明の第１０の実施の形態の画像形成装置について説明する。
図１３は、本発明の第１０の実施の形態に係る画像形成装置を説明するためのものである。
図１３は、本発明の第１０の実施の形態に係る画像形成装置の縦断面の概念的な構成を模式的に示している。この画像形成装置においては、上述した第８の実施の形態に係る図１１に示した画像読取装置を画像読み取りに用いている。
図１３に示す画像形成装置は、画像読取装置１００と、画像形成部２００とを有している。画像読取装置１００は、図１１と同様の構成を有しており、図１１と同様の部分には同符号を付して示し、その詳細な説明は省略する。すなわち、画像読取装置１００は、コンタクトガラス１０１、第１走行体１０３、第２走行体１０４、画像読取レンズ１０５およびラインセンサ１０６を具備している。第１走行体１０３は、照明光源１０３ａ、光源ミラー１０３ｂおよび第１ミラー１０３ｃを備え、第２走行体１０４は、第２ミラー１０４ａおよび第３ミラー１０４ｂを備えており、ラインセンサ１０６は、色分解手段として赤（Ｒ）、緑（Ｇ）および青（Ｂ）のフィルタを有し、１チップに３列にライン状に配列して３ラインＣＣＤセンサを構成する光電変換素子１０６ａ、１０６ｂおよび１０６ｃを備えている。画像読取レンズ１０５は、上述した第５の実施の形態〜第７の実施の形態に係る画像読取レンズを用いて構成する。
【００６９】
なお、画像読取装置として、コンタクトガラス上の原稿をスリット状に照明する照明手段と、ラインセンサと、原稿の被照明部からラインセンサに至る結像光路を形成する複数のミラーと、結像光路上に配置される画像読取レンズとを一体化して画像読取ユニットを構成し、この画像読取ユニットを駆動手段により原稿に相対的に走行させることにより原稿を読み取り走査するようにした形態の画像読取装置を用いることもできる。すなわち、第８の実施の形態に係る図１１に示した画像読取装置に代えて、本発明の第９の実施の形態に係る図１２に示した画像読取装置を用いて、画像形成装置を構成しても良い。
また、画像形成部２００は、画像読取装置１００の下方に位置しており、感光体２１０、帯電ローラ２１１、現像装置２１３、転写ベルト部２１４、クリーニング装置２１５、定着装置２１６、光走査装置２１７、カセット２１８、レジストローラ対２１９、信号処理部２２０、トレイ２２１および給紙コロ２２２を具備している。転写ベルト部２１４は、転写電圧印加ローラ２１４ａおよび転写ローラ２１４ｂを有している。
【００７０】
図１３において、画像読取装置１００の３ラインのラインセンサ１０６から出力される画像信号は、画像形成部２００の信号処理部２２０に送られ、信号処理部２２０において処理されて書込み用の信号、すなわちイエロー（Ｙ）、マジェンタ（マゼンタ）（Ｍ）、シアン（Ｃ）および黒（Ｋ）の各色を書込むための信号に変換される。
画像形成部２００は、潜像担持体として円筒状に形成された光導電性の感光体２１０を有し、その周囲に、帯電手段としての帯電ローラ２１１、ターレット式の現像装置２１３、転写ベルト部２１４およびクリーニング装置２１５を配設している。帯電手段としては帯電ローラ２１１に代えてコロナチャージャを用いることもできる。
光走査装置２１７は、信号処理部２２０から書込み用の信号を受けて光走査により感光体２１０に書込みを行う。また、光走査装置２１７は、帯電ローラ２１１と現像装置２１３との間において感光体２１０の光走査を行うようになっている。
画像形成を行うときは、光導電性の感光体２１０が図示時計回りに等速回転され、その表面が帯電ローラ２１１により均一に帯電され、光走査装置２１７のレーザビームの光書込による露光を受けて静電潜像が形成される。形成された静電潜像は、いわゆるネガ潜像であって、画像部が露光されている。
画像の書込みは、感光体２１０の回転に従って、イエロー（Ｙ）画像、マジェンタ（Ｍ）画像、シアン（Ｃ）画像、そして黒画像（Ｋ）の順に、逐次行われて、形成された静電潜像はターレット式の現像装置２１３の各現像ユニットＹ（イエロートナーによる現像を行う）、Ｍ（マジェンタトナーによる現像を行う）、Ｃ（シアントナーによる現像を行う）、そしてＫ（黒トナーによる現像を行う）により、順次反転現像されてポジ画像として可視化され、得られた各色トナー画像は、転写ベルト２１４上に、転写電圧印加ローラ２１４ａにより順次転写され、上述した各色トナー画像が転写ベルト２１４上で重ね合わせられてカラー画像となる。
【００７１】
記録媒体としての転写紙Ｓを収納したカセット２１８は、画像形成装置本体に脱着可能であり、図示のように装着された状態において、収納された転写紙Ｓの最上位の１枚が給紙コロ２２２により取り出されて給紙され、給紙された転写紙Ｓはその先端部がレジストローラ対２１９に捕えられる。
レジストローラ対２１９は、転写ベルト部２１４上のトナーによるカラー画像が転写位置に移動するのにタイミングを合わせて転写紙Ｓを転写部へ送り込む。送り込まれた転写紙Ｓは、転写部においてカラー画像と重ね合わせられ、転写ローラ２１４ｂの作用によりカラー画像が静電転写される。転写ローラ２１４ｂは、転写時に転写紙Ｓにカラー画像を押圧転写させる。
カラー画像が転写された転写紙Ｓは、定着装置２１６へ送られ、定着装置２１６においてカラー画像が定着され、図示されていないガイド手段による搬送路を通り、図示されていない排紙ローラ対によりトレイ２２１上に排出される。各色トナーによる画像が転写されるたびに、感光体２１０の表面はクリーニング装置２１５によりクリーニングされ、残留トナーや紙粉等が除去される。
【００７２】
すなわち、本発明の第１０の実施の形態に係る画像形成装置は、上述した第８の実施の形態または第９の実施の形態のような画像読取装置、つまり第５〜７の実施の形態に係るの実施例１〜実施例３の画像読取レンズを結像レンズとして使用した画像読取装置を用いて構成した画像形成装置である。
もちろん、本発明に係る画像形成装置は、カラー画像を形成する構成に限らず、モノクロームの画像形成を行うように構成することもできることはいうまでもない。
また、紙出力が画像読取装置と画像形成部との間に形成されている胴内排紙型の省スペースな画像形成装置において、上述した本発明に係る画像読取レンズを用いた画像読取装置を用いることにより、画像読取装置を薄型化することができ、画像形成部との間隔が広がることによって、出力された紙等の作業者への視認性を高めることによって、作業を容易にするという効果もある。
なお、本発明の記載は、すべて円形のレンズを用いて説明しているが、レンズの大きさ、特に画像読取装置の高さ方向の大きさを低減するために、レンズの上下を切断した小判型のレンズを用いて、本発明に従った画像読取レンズを構成することも可能である。
【符号の説明】
【００７３】
Ｅ１  第１レンズ
Ｅ２  第２レンズ
Ｅ３  第３レンズ
Ｅ４  第４レンズ
Ｅ５  第５レンズ
Ｅ６  第６レンズ
ＡＤ  開口絞り
ＣＴＧ  コンタクトガラス
ＣＶＧ  カバーガラス
Ｇｆ，ＧＦ１，ＧＦ２，ＧＦ３，ＧＦ４  前群レンズ系
Ｇｒ，ＧＲ１，ＧＲ２，ＧＲ３，ＧＲ４  後群レンズ系
ＳＰ、ＳＧ１，ＳＧ２，ＳＧ３，ＳＧ４，ＳＧ５，ＦＳ１，ＦＳ２，ＰＦ、ＰＲ  間隔調整機構
１００，１１０  画像読取装置
１０１  コンタクトガラス
１０３  第１走行体
１０４  第２走行体
１０５  画像読取レンズ
１０６  ラインセンサ
１０３ａ  照明光源
１０３ｂ  光源ミラー
１０３ｃ，１１３ｅ  第１ミラー
１０４ａ，１１３ｆ  第２ミラー
１０４ｂ，１１３ｇ  第３ミラー
１０６，１１５  ラインセンサ
１０６ａ，１０６ｂ，１０６ｃ，１１５ａ，１１５ｂ，１１５ｃ  光電変換素子
１１３  画像読取ユニット
１１４  画像読取レンズ
１１５  ラインセンサ
１１３ａ  第１の照明光源
１１３ｂ  第１の光源ミラー
１１３ｃ  第２の照明光源
１１３ｄ  第２の光源ミラー
１１３ｅ  第１ミラー
１１３ｆ  第２ミラー
１１３ｇ  第３ミラー
２００  画像形成部
２１０  感光体
２１１  帯電ローラ
２１３  現像装置
２１４  転写ベルト部
２１５  クリーニング装置
２１６  定着装置
２１７  光走査装置
２１８  カセット
２１９  レジストローラ対
２２０  信号処理部
２２１  トレイ
２２２  給紙コロ
２１４ａ  転写電圧印加ローラ
２１４ｂ  転写ローラ
【先行技術文献】
【特許文献】
【００７４】
【特許文献１】特許第３９３９９０８号公報
【図１】
2014228756.tif 000013
【図２】
2014228756.tif 000014
【図３】
2014228756.tif 000015
【図４】
2014228756.tif 000016
【図５】
2014228756.tif 000017
【図７】
2014228756.tif 000018
【図９】
2014228756.tif 000019
【図１１】
2014228756.tif 000020
【図１２】
2014228756.tif 000021
【図１３】
2014228756.tif 000022
【図６】
2014228756.tif 000023
【図８】
2014228756.tif 000024
【図１０】
2014228756.tif 000025